(57)【要約】【課題】人体を正確に検知しやすくしたセンサを有するトイレ空間を提供すること。【解決手段】便器装置２と、便器装置２に近付く人体を検知する焦電式、光学式又は超音波式のセンサ７と、センサ７の検知結果に基づいて作動し、便器装置２が設置されたトイレ空間１００の環境を制御する設備機器と、便器装置２の周囲に配置されるキャビネットと、を備えるトイレ空間１００であって、センサ７は、キャビネットの前面に配置されるとともに、その検知範囲が便器装置２の便蓋２２又は便座の全開又は全閉時において便器装置２に近付く人体を検知する位置に設定される、トイレ空間１００である。【選択図】図２
2020089679.tif 000002
【特許請求の範囲】
【請求項１】
便器装置と、
前記便器装置に近付く人体を検知する焦電式、光学式又は超音波式のセンサと、
前記センサの検知結果に基づいて作動し、前記便器装置が設置されたトイレ空間の環境を制御する設備機器と、
前記便器装置の周囲に配置されるキャビネットと、を備えるトイレ空間であって、
前記センサは、前記キャビネットの前面に配置されるとともに、その検知範囲が前記便器装置の便蓋又は便座の全開又は全閉時において前記便器装置に近付く人体を検知する位置に設定される、トイレ空間。
【請求項２】
前記センサは、前記検知範囲が前記便蓋又は前記便座に干渉しないように設定される、請求項１に記載のトイレ空間。
【請求項３】
前記設備機器は、照明装置である、請求項１又は２に記載のトイレ空間。
【請求項４】
前記キャビネットは、前記便器装置における便器本体の背面側に配置される背面側キャビネットを含んで構成され、
前記照明装置は、前記背面側キャビネットの前パネルに配置される、請求項３に記載のトイレ空間。
【発明の詳細な説明】
【技術分野】
【０００１】
本発明は、トイレ空間に関する。
【背景技術】
【０００２】
従来、トイレ空間には、便器装置が設けられたトイレ空間内の環境を制御する照明装置や冷暖房装置等、各種の設備機器が設けられている。設備機器として、例えばトイレ空間内のキャビネットの照明装置の起動のために、便器装置が取り付けられるキャビネットの内部にマイクロ波のセンサを配置し、人体が便器装置に近付いたことを検知するトイレ空間が知られている。
【先行技術文献】
【特許文献】
【０００３】
【特許文献１】特開２０１８−７９０５６号公報
【発明の概要】
【発明が解決しようとする課題】
【０００４】
トイレ空間内で、各種の設備機器にセンサを用いる場合、施工するトイレ空間の間取りや面積によって、便器装置に使用者がどの程度近づいたかに応じて適切なタイミングで起動させたい場合がある。このため、検知する距離に関連して精度が高く、広範囲で検知可能なセンサが求められる。この場合、センサとして、赤外線センサを用いることが考えられるが、赤外線センサの場合には、赤外線センサの検知範囲に障害となる物体を配置しないようにする必要があった。
【課題を解決するための手段】
【０００５】
本発明は、便器装置（例えば、後述の便器装置２）と、便器装置２に近付く人体を検知する焦電式、光学式又は超音波式のセンサ（例えば、後述のセンサ７）と、前記センサの検知結果に基づいて作動し、前記便器装置が設置されたトイレ空間（例えば、後述のトイレ空間１００）の環境を制御する設備機器と、前記便器装置の周囲に配置されるキャビネットと、を備えるトイレ空間であって、前記センサは、前記キャビネットの前面に配置されるとともに、その検知範囲（例えば、後述の検知範囲７０）が前記便器装置の便蓋又は便座の全開又は全閉時において前記便器装置に近付く人体を検知する位置に設定される、トイレ空間に関する。
【０００６】
前記センサは、前記検知範囲が前記便蓋又は前記便座に干渉しない位置に設定されることが好ましい。
【０００７】
前記設備機器は、照明装置（例えば、後述の照明装置６）であることが好ましい。
【０００８】
前記キャビネットは、前記便器装置における便器本体（例えば、後述の便器本体２１）の背面側に配置される背面側キャビネット（例えば、後述の背面側キャビネット３）を含んで構成され、前記照明装置は、前記背面側キャビネットの前パネル（例えば、後述の前パネル３１）に配置されることが好ましい。
【発明の効果】
【０００９】
本発明によれば、人体を正確に検知しやすくしたセンサを有するトイレ空間を提供することができる。
【図面の簡単な説明】
【００１０】
【図１】本実施形態の背面側キャビネット示す正面図である。
【図２】本実施形態の背面側キャビネットの側面図である。
【図３】本実施形態の背面側キャビネットの上面図である。
【図４】本実施形態の間口調整材、連結側板及び照明装置の斜視図である。
【図５】他の実施形態の前パネル及び巾木の下端近傍を示す拡大した側面図である。
【発明を実施するための形態】
【００１１】
以下、本発明の実施形態について、図面を参照しながら詳細に説明する。
図１は、本実施形態におけるトイレ空間１００内の背面側キャビネット３を示す図である。背面側キャビネット３は、トイレ空間１００内に配置されるとともに、便器装置２の便器本体２１が取り付けられる。
【００１２】
トイレ空間１００とは、建物内の仕切られた区画で便器装置２が設けられる場所を意味し、例えば便所等である。本実施形態では、トイレ空間１００は、図１に示すように、略直方形の空間であり、長手方向がトイレ空間１００の手前側の入口（図示省略）と入口に対向する奥側とを結ぶ前後方向に沿っている。トイレ空間１００は、奥側の後壁１０１と、後壁１０１の幅方向の一方及び他方の一対の側壁１０２と、出入口用の扉が設けられた前壁（図示省略）と、床面１０３と、を有する。
なお、本明細書において、上下方向とは天地方向であり、幅方向とは、図１に示すように、トイレ空間１００の入口側から後壁１０１に向かって、背面側キャビネット３を正面から見た場合の左右を結ぶ横方向を意味する。また、左右とは、背面側キャビネット３を正面から見た場合の左右を意味する。
【００１３】
図２は、トイレ空間１００の側面図である。図３は、トイレ空間１００の上面図である。
便器装置２は、図２に示すように、便器本体２１と、便蓋２２と、給水部２３と、排水部２４と、を有する。
【００１４】
便器本体２１は、上部が開口した凹部が形成されたボウル部２１０を有する平面視略Ｕ字状の容器である。便器本体２１は、使用者が着座して使用する便器を構成する主要部分であり、ボウル部２１０の底部には汚物を排出する排水口が形成されている。便器本体２１は、下端部が床面１０３から上方に離れた位置に配置されている。便器本体２１は、いわゆる壁掛け式であり、便器本体２１が後述する背面側キャビネット３に接続されて、床面１０３から宙に浮いたように設置されている。便器本体２１は、背面側キャビネット３が設けられる床面１０３から、例えば６０ｍｍ〜１１０ｍｍ程度上方に離れた位置に取り付けられている。
【００１５】
便蓋２２は、便器本体２１のボウル部２１０における開口を覆う蓋であり、後方側にヒンジで接続されて開閉される。
給水部２３は、便器本体２１に排水用の水を供給する機構である。給水部２３は、建物の内部に設けられた給水管（図示省略）に接続され、ボウル部２１０に供給する水を貯水する給水タンク２３０を有する。
排水部２４は、便器本体２１に接続され、便器本体２１の排水口から排出される汚水を下水へ排水するエルボ管２４１及び蛇腹管２４２を有する。エルボ管２４１は、排水口に接続されており、蛇腹管２４２は、エルボ管２４１の下流側端部から床下の下水管へと接続される。
【００１６】
図３は、トイレ空間１００の上面図である。図３では、カウンター３３０を省略して示している。
背面側キャビネット３は、図１〜図３に示すように、便器本体２１の背面側と、トイレ空間１００の後壁１０１との間に配置される。背面側キャビネット３は、床面１０３から便器装置２の上部を越えて上方へ延びるとともに、後壁１０１側へ奥行を有する。背面側キャビネット３は、便器装置２のタンクや止水栓等が配置される給水部２３や排水部２４等を覆い隠す棚である。
背面側キャビネット３は、収容部３０と、前パネル３１と、巾木３２と、一対の間口調整材４と、一対の連結側板５と、一対の照明装置６と、センサ７と、制御部（図示省略）と、を有する。
【００１７】
収容部３０は、便器本体２１の背面と後壁１０１との間に配置され、便器装置２の給水部２３や排水部２４、便器装置２の電源（図示省略）等の構成部を内部に収容する略直方形の空間である。収容部３０は、フレーム３５０と、補強木３２０と、カウンター３３０と、を有する。
【００１８】
フレーム３５０は、図１に示すように、便器本体２１、給水部２３及び排水部２４等を固定支持する土台を形成する枠である。フレーム３５０は、一対の縦桟３５１、上桟３５２、及び下桟３５３を有する。
一対の縦桟３５１は、便器本体２１の背面側で、後壁１０１から前方側に所定距離離れた位置に、上下方向に延びる金属製の枠材である。一対の縦桟３５１は、便器本体２１の幅方向の一方及び他方に配置される。縦桟３５１には、後述する前パネル３１を介して便器本体２１が固定される。また、一対の縦桟３５１の間に、横方向に延びる支持部材３５４（図２参照）が取り付けられ、給水タンク２３０が支持部材３５４に固定支持される。
上桟３５２は収容部３０の上部側で、下桟３５３は収容部３０の下部側で、一対の縦桟３５１の間に横方向に渡される金属製の枠材である。
【００１９】
補強木３２０は、後壁１０１に直接取り付けられる板材であり、収容部３０の上部でフレーム３５０に対向する位置に配置される。
【００２０】
カウンター３３０は、収容部３０の上部を覆う長方形の板である。カウンター３３０は補強木３２０に回動可能にヒンジで接続され、収容部３０の上部開口を開閉可能な蓋を構成する。カウンター３３０の手前側の縁は、上桟３５２に間接的に支持される。
【００２１】
前パネル３１は、便器本体２１が固定されるフレーム３５０の縦桟３５１に接続されて支持され、便器本体２１の背面側に取り付けられる。前パネル３１は、収容部３０の前側と便器本体２１とを隔てる四角形の板状の部材である。前パネル３１は、便器本体２１の下方から上端部を越えて上下方向に延び、背面側キャビネット３の最前面部を構成する。前パネル３１は、上端側で幅方向に延びる上端縁３１ａと、下端側で幅方向に延びる下端縁３１ｂと、幅方向の一方及び他方で上下方向に延びる側縁３１ｃ、３１ｄとを有する。
【００２２】
前パネル３１の幅方向に沿う寸法は、便器本体２１の幅よりも大きく、前パネル３１は、背面側キャビネット３の幅方向の一方側から他方側へ延びるように配置されている。しかし、図１及び図３に示すように、前パネル３１の一対の側端部で上下方向に延びる側縁３１ｃ、３１ｄは、それぞれの側端部に対向するトイレ空間１００の一対の側壁１０２から離れた位置に配置されており、側壁１０２にぴったりと付き合わされてはいない。すなわち、前パネル３１の一対の側端部は、それぞれ一対の側壁１０２から離れて、第１の隙間Ｓ１を有して配置されている。第１の隙間Ｓ１は、例えば５ｍｍ〜４０ｍｍ程度、好ましくは１０ｍｍ〜３５ｍｍ程度であってよい。
【００２３】
前パネル３１は、複数の板が隣接して配置されることで構成されており、上部前板部３１１と、下部右側前板部３１２と、下部左側前板部３１３と、下部中央前板部３１４と、を有する。
【００２４】
上部前板部３１１は、前パネル３１の上部に配置される四角形の一枚の板材である。上部前板部３１１は、縦桟３５１に固定される。
【００２５】
下部右側前板部３１２は、前パネル３１の下部の正面視右側に配置される四角形の板であり、便器本体２１の下方の右側に配置される。下部右側前板部３１２は、ダボと孔の構成により上部前板部３１１に接続されており、また、後述する下部中央前板部３１４に接続されることで、間接的に縦桟３５１に支持される。
【００２６】
下部左側前板部３１３は、前パネル３１の下部の正面視左側に配置される四角形の板であり、便器本体２１の下方の左側に配置される。下部左側前板部３１３は、ダボと孔の構成により上部前板部３１１に接続されており、また、後述する下部中央前板部３１４に接続されることで、間接的に縦桟３５１に支持される。
【００２７】
下部中央前板部３１４は、前パネル３１の下部の正面視中央側に配置される板であり、便器本体２１の形状に沿って上部側が切り欠かれている。下部中央前板部３１４は、便器本体２１の背面側に配置され、縦桟３５１に固定される。
【００２８】
前パネル３１の下端部に沿って延びる下端縁３１ｂ、すなわち、下部右側前板部３１２、下部左側前板部３１３及び下部中央前板部３１４の下端縁は、図１及び図２に示すように、床面１０３から上方に離れた位置に配置されており、床面１０３に直接接続されていない。前パネル３１は、床面１０３から、少なくとも１０ｍｍ以上離れた位置に取り付けられ、好ましくは２０ｍｍ〜５０ｍｍ、例えば３０ｍｍ〜４０ｍｍ程度離れた位置に取り付けられる。
【００２９】
巾木３２は、図２に示すように、縦桟３５１に固定されて前パネル３１の下端部の背面側に配置され、前パネル３１の幅方向の一方から他方に延びる細長い板材である。巾木３２は、前パネル３１の背面と前後方向に重なり、床面１０３に当接する。巾木３２の前面は、前パネル３１の背面に接している。巾木３２は、前パネル３１とは異なる色調に形成されており、例えば、トイレ空間１００の側壁１０２と同系色である。
【００３０】
巾木３２は、図２に示すように、縦桟３５１に固定されて前パネル３１の下端部の背面側に配置され、幅方向の一方から他方に延びる細長い板材である。巾木３２の前面は、前パネル３１の背面に接している。巾木３２は、床面１０３と前パネル３１の下端縁３１ｂとを接続する。巾木３２は、前パネル３１とは異なる色調に形成されており、例えば、トイレ空間１００の側壁１０２と同系色である。
【００３１】
図４は、前パネル３１に間口調整材４、連結側板５及び照明装置６が取り付けられた状態の斜視図である。間口調整材４は、背面側キャビネット３の上下方向に沿って延びる縦長の板材であり、長手方向側縁４１と、短手方向側縁４２と、長孔４３と、を有する。
長手方向側縁４１は、前パネル３１の側縁３１ｃ、３１ｄに沿って配置される。
短手方向側縁４２は、前パネル３１の幅方向に沿って配置される。
長孔４３は、間口調整材４の上端側及び下端側に短手方向に沿って形成される。
【００３２】
間口調整材４は、図３に示すように、前パネル３１の背面側で、前パネルの一対の側縁３１ｃ、３１ｄ近傍に一対配置される。間口調整材４は、長孔４３に挿通させるビス４４の位置を調整することにより左右方向に移動可能に取り付けられ、間口調整材４の短手方向側縁４２の外側端部が、トイレ空間１００の側壁１０２に当接するように近接させて取り付けられる。ここで、間口調整材４が側壁１０２に「当接可能」とは、間口調整材４を側壁１０２に当接させるか、また、施工誤差等で側壁１０２にぴったりと当接しない場合でも、当接するほどに近接させることが可能であることを意味する。図１及び図４に示すように、間口調整材４の短手方向側縁４２の外側端部は、前パネル３１よりも幅方向の外側に位置する。
【００３３】
間口調整材４は、前パネル３１の背面から後方に離れ、前パネル３１の背面との間に第２の隙間Ｓ２を有して配置される。前パネル３１の背面と間口調整材４との間の第２の隙間Ｓ２の寸法は、前パネル３１の側端部とトイレ空間１００の側壁１０２との間の第１の隙間Ｓ１の寸法よりも大きく、例えば、４０ｍｍ〜６０ｍｍ程度、好ましくは４５ｍｍ〜５５ｍｍ程度である。第２の隙間Ｓ２の方が第１の隙間Ｓ１よりも大きいことで、第２の隙間Ｓ２の奥行きにより前パネル３１の独立性が際立ち、前パネル３１が浮遊しているような浮遊感が実現される。
【００３４】
間口調整材４は、白色、ベージュ、クリーム色等の光を反射させやすい色調及び素材で構成される。白、ベージュ、クリーム色等の白色系の色調は、黒色系や赤色系等と比べると光を反射させやすい。このため、間口調整材４の反射板としての機能を発揮させやすくなる。
【００３５】
間口調整材４は、図１に示すように、間口調整材４の下端部が巾木３２の幅方向外側に配置されており、巾木３２に対していわゆる「縦勝ち」に配置されている。間口調整材４と巾木３２は、正面視で連続したように見え、間口調整材４と巾木３２が前パネル３１の下側の周囲を上部が開口したコの字状に囲んでいるように配置されている。
【００３６】
連結側板５は、前パネル３１の背面と間口調整材４とを連結する板であり、前パネル３１及び間口調整材４に対して略直交するように取り付けられる。連結側板５は、間口調整材４とほぼ同程度の長さを有する縦長の板材である。連結側板５の幅方向の長さは、第２の隙間Ｓ２に対応する。図４に示すように、連結側板５の前パネル３１側の短手方向の端部における、前パネル３１と接する端面には、前パネル３１側に向かって突出するボス５１が形成されており、前パネル３１の背面側の対応する位置に形成される孔に挿入されて連結される。
【００３７】
図４を参照して、連結側板５と間口調整材４の連結手順について説明する。前パネル３１の幅方向の寸法は、トイレ空間１００の一対の側壁１０２同士の間の距離よりも短いので、前パネル３１の幅方向の外側に第１の隙間Ｓ１が開く。第１の隙間Ｓ１の大きさに応じて、間口調整材４の位置は、便器本体２１寄りか、側壁１０２寄りか、施工現場で位置を調整される。間口調整材４の長孔４３にビス４４を挿通させ、間口調整材４と連結側板５とをＬ字型金具５２で仮留めする。間口調整材４の短手方向側縁４２の外側（トイレ空間１００の側壁１０２側）の端部が側壁１０２に当接するように近接させて左右方向に移動させ、位置を調整した後、間口調整材４の上端側及び下端側に挿通されているビス４４を締め、一対の間口調整材４を固定する。
【００３８】
照明装置６は、前パネル３１の背面側のやや内側（前パネル３１の幅方向中央寄り）で、前パネル３１の両側縁３１ｃ、３１ｄに沿って延びるように一対配置される。詳細には照明装置６は、図２に示すように前パネル３１の両側縁３１ｃ、３１ｄの背面と、間口調整材４との間で、連結側板５に取り付けられ、背面側キャビネット３の正面視では視認されない位置に配置される。照明装置６は、背面側キャビネット３の一対の側縁３１ｃ、３１ｄ側からトイレ空間１００の一対の側壁１０２に対して光を照射する間接照明装置である。照明装置６は、照明ケース６１と、照明カバー６２と、照明素子及びケーブル（図示省略）とを有する。
【００３９】
照明ケース６１は、内部に照明素子及びケーブルが格納された直方体のケースである。照明ケース６１は、前パネル３１の上下方向の側縁３１ｃ、３１ｄにおける一方側の端部側から他方側の端部側まで延びるように配置される。詳細には、照明ケース６１の長さは、前パネル３１の側縁３１ｃ、３１ｄの長さよりもわずかに短く、照明ケース６１の端部は、前パネル３１の上下方向の端部よりもやや内側に位置している。なお、図３に示すように、照明ケース６１は、前パネル３１の一方の側縁３１ｃ側と他方の側縁３１ｄ側とでは、奥行き方向に互い違いにずれて配置されており、一方の側縁３１ｃ側では前パネル３１の背面から奥側へ離れた位置で連結側板５に取り付けられ、他方の側縁３１ｄ側では前パネル３１の背面に当接するように連結側板５に取り付けられている。
【００４０】
照明カバー６２は、照明ケース６１が取り付けられた状態で、照明ケース６１における少なくとも前パネル３１の幅方向の外側を覆うように取り付けられる。照明カバー６２は、トイレ空間１００の側壁１０２側を向くように配置される。
【００４１】
照明素子は、照明ケース６１の内部に配置されている（図示省略）。照明素子が点灯することで照明装置６が発光する。照明素子は、発光の範囲が前パネル３１の上下方向に亘るように、照明ケース６１内の上下方向に沿って並ぶように配置されている。
【００４２】
センサ７は、トイレ空間１００の環境を制御する設備機器としての照明装置６に接続される。センサ７は、便器装置２に近付く人体を検知する焦電式の赤外線人体検知センサである。センサ７は、背面側キャビネット３の前面である前パネル３１に取り付けられ、使用者がトイレ空間１００に入室して、便器装置２にあらかじめ設定した距離近づくと、人体を検知し、検知結果を制御部へ出力するように設定されている。
【００４３】
センサ７は、図２及び図３に示すように、前パネル３１に配置されて、その検知範囲７０が便器装置２の便蓋２２又は便座の全閉時において便蓋２２又は便座に干渉しないように設定される。図１に示すように、本実施形態では、センサ７は、便器装置２の正面視左側、便蓋２２の幅方向の外側で、便蓋２２の上面よりも上方の前パネル３１の表面に配置されている。全開時には、センサ７は、開いた便蓋２２又は便座の逆Ｕ字形状の正面視における面の高さ方向及び幅方向ともに重ならない位置に設けられている。
【００４４】
なお、焦電式のセンサ７は熱源の違いに反応し、動かないものに対して検知しないので、仮に検知範囲７０内に便蓋２２又は便座があり干渉していたとしても、便蓋２２又は便座が動いていなければ、センサ７の検知範囲７０内で便器装置２に近付く人体を検知することができる。
また、センサ７が光学式又は超音波式のセンサであった場合でも、便蓋２２又は便座等が全開時や全閉時の検知状態をあらかじめ記憶させておき、検知範囲７０内に便蓋２２又は便座があり検知範囲７０に干渉しても反応しないように設定をしておけば、照明装置６が動作しないよう設定することができる。
【００４５】
検知範囲７０は、図２に示すように、便蓋２２の上面から上方に向けて設定され、センサ７から延出させる下方の限界の仮想線と上方の限界の仮想線が交わる点から略３０〜９０度程度の範囲である。また、幅方向では、平面視でセンサ７から延出させる左側の限界の仮想線と右側の限界の仮想線が交わる点から略３０〜９０度程度の範囲である。
【００４６】
制御部は、センサ７及び照明装置６に接続される。制御部は、センサ７が人体を検知すると、検知結果に応じて照明装置６を作動させ、点灯させる。また、制御部はタイマーに接続されており、照明装置６の点灯後所定時間が経過すると、照明装置６を消灯させる。
【００４７】
本実施形態によれば、以下の効果が奏される。
本実施形態では、トイレ空間１００を、便器装置２と、便器装置２に近付く人体を検知する焦電式、光学式又は超音波式のセンサ７と、センサ７の検知結果に基づいて作動し、便器装置２が設置されたトイレ空間１００の環境を制御する設備機器と、便器装置２の周囲に配置されるキャビネットと、を含んで構成した。また、センサ７を、キャビネットの前面に配置されるとともに、その検知範囲が便器装置２の便蓋２２又は便座の全開又は全閉時において便器装置２に近付く人体を検知する位置に設定した。
センサ７を焦電式赤外線人体検知センサとすることで、検知する距離が正確でかつ広範囲に設定することができる。また、電波式と異なり、キャビネットの前面に配置して、検知範囲７０を便器装置２の便蓋２２又は便座の全開又は全閉時において便器装置２に近付く人体を検知する位置に設定することで、焦電式赤外線人体検知センサを確実かつ正確に作動させることができる。よって、トイレ空間１００がどのような間取り又は面積であっても、便蓋２２又は便座の開閉の状況にかかわらず、人体を正確に検知し易く構成することができる。
【００４８】
本実施形態では、センサ７を、検知範囲７０が便蓋２２又は便座に干渉しないように設定した。これにより、焦電式赤外線人体検知センサを確実かつ正確に作動させることができ、上記と同様の効果を奏する。
【００４９】
本実施形態では、設備機器を照明装置６とした。キャビネットの照明装置６の点灯のためにセンサ７を設けることで、便器装置２に使用者が所定距離近づいたときにキャビネットの照明装置６を点灯させることができる。よって、キャビネットの照明装置６を必要以上に長い間点灯させておくことがなくなるので、電力の消費を抑えることができ、かつ、照明装置６の演出的効果を得ることができる。
【００５０】
キャビネットを、便器装置２における便器本体２１の背面側に配置される背面側キャビネット３を含んで構成し、照明装置６を、背面側キャビネット３の前パネル３１に配置させた。前パネル３１に配置された照明装置６の起動を制御するためにセンサ７が配置されているので、照明装置６を必要以上に長い間点灯させておくことがなくなり、上記と同様の効果を奏する。
また、センサ７を便器本体２１の背面側に配置される背面側キャビネット３の前パネル３１に配置させることで、センサ７の検知範囲７０を広範囲かつ自在に設定させやすくなる。また、センサ７に接続する制御部や電源等を背面側キャビネット３の内部に配置して設置することができるので、設置が容易になり美観が向上する。
【００５１】
以上、本発明の好ましい実施形態について説明したが、本発明は、上述の実施形態に制限されるものではなく、適宜変更が可能である。
【００５２】
例えば、センサ７は、上記実施形態では焦電式の赤外線人体検知センサであるが、電波式以外であれば、光学式又は超音波式センサ等であってもよい。
また、センサ７は、照明装置６に接続されているが、これに限られない。センサの検知結果に基づいて作動するトイレ空間の環境を制御する設備機器として、他に、トイレ空間の冷暖房装置、音響装置、室内照明灯等であってよい。
【００５３】
また、例えば、上記実施形態では、センサ７は照明装置６を起動させるためにのみ人体を検知しているが、これに限られない。センサは、照明装置の他に、上述の設備機器や、さらに加えて便座の加温装置、便蓋の開閉装置等も含め、他の装置を起動させるための人体の検知を兼用するように設定してもよく、制御部で複数の装置の制御を行ってもよい。
【００５４】
また、例えば、上記実施形態では、キャビネットとして背面側キャビネット３のみが例示されているが、便器装置２の周囲に配置されるキャビネットであれば、背面側キャビネット３に限られない。トイレ空間の構造によっては、トイレ空間の側壁に沿って配置されたり、上部に備え付けられたりする他のキャビネットが配置されていてもよく、他のキャビネットにセンサが配置されていてもよい。
【００５５】
図５は、背面側キャビネット３Ａの他の実施形態における前パネル３１Ａ及び巾木３２Ａの下端近傍を示す拡大した側面図である。
図５に示すように、前パネル３１Ａの背面と巾木３２Ａの間に下側用照明装置６００を設けてもよい。下側用照明装置６００は、前パネル３１Ａの下端縁の幅方向に沿って配置される。より具体的には、前パネル３１Ａの下端部の背面側を側面視でコの字状に切り欠いて、切欠き部３１９を形成する。前パネル３１Ａの下端部の切欠き部３１９及び巾木３２Ａの間に空間を形成し、この空間に下方に向かって照らす下側用照明装置６００を配置する。
下側用照明装置６００から照射される光と、上記実施形態の照明装置６から照射される光とは、前パネル３１Ａの下端部の幅方向外側の角で重なる。前パネル３１Ａの下側の周囲を下側用照明装置６００と照明装置６とが連続して囲むように配置される。これより、前パネルが床面１０３から浮遊した状態であることが視認しやすくなる。
【００５６】
下側用照明装置６００は、背面側キャビネット３の下端縁３１ｂ側からトイレ空間１００の床面１０３に対して光を照射する間接照明装置であってよい。
また、他の下側用照明装置として、前パネルと床面との間に配置して、トイレ空間内を直接照らす直接照明として構成したものでもよい。
【符号の説明】
【００５７】
２      便器装置
３      背面側キャビネット（キャビネット）
６      照明装置（設備機器）
７      センサ
１００  トイレ空間
【図１】
2020089679.tif 000003
【図２】
2020089679.tif 000004
【図３】
2020089679.tif 000005
【図４】
2020089679.tif 000006
【図５】
2020089679.tif 000007